(57)【特許請求の範囲】
【請求項１】
前面側に所定の遊技領域が設けられた遊技盤と、前記遊技盤の前面側に設けられる遊技構成部品と、前記遊技盤を収容保持する枠部材と、遊技機の作動を統括的に制御するメイン制御装置と、前記遊技盤の後面側に着脱自在に設けられた画像表示ユニットとを備え、遊技展開に応じた画像を前記画像表示ユニットに表示させる制御を行って前記遊技盤に形成された開口を介して前記遊技盤の前面側から前記画像表示ユニットに表示される画像を目視可能に構成された遊技機であって、
前記画像表示ユニットが、画像を表示する液晶表示パネルを備えた液晶表示装置と、前記メイン制御装置から入力される演出指令信号に基づいて前記遊技展開に応じた演出を制御するサブ制御装置と、前記サブ制御装置から入力される制御信号に基づいて前記遊技構成部品の作動を制御するインターフェース装置とを有して構成され、
前記液晶表示装置が、前面側に画像が表示される前記液晶表示パネルと、前記液晶表示パネルを収容保持するパネル収容部材と、前記パネル収容部材内に設けられて前記サブ制御装置から供給される電力を前記液晶表示パネルに供給するためのインバータ基板とを有し、
前記サブ制御装置が、前記遊技展開に応じた前記液晶表示パネルにおける画像の表示と前記遊技構成部品の作動とを制御するサブ制御基板と、前記サブ制御基板を収容保持する基板収容部材とを有し、
前記サブ制御装置および前記インターフェース装置が、前記液晶表示装置における前記パネル収容部材の後面側に着脱自在に隣接して配列され、
前記サブ制御装置および前記インターフェース装置の各々が、前記パネル収容部材に対して前記配列方向に相対的にスライド移動されて前記パネル収容部材に装着されるように構成され、
前記インターフェース装置が、前記配列方向における前記サブ制御基板側に突出するインターフェース装置側コネクタを有し、
前記基板収容部材が、前記配列方向における前記インターフェース装置側に開口形成されたコネクタ挿通口を通して、当該基板収容部材内に収容された前記サブ制御基板に実装されるサブ制御基板側コネクタを当該基板収容部材の外部に露出させ、
前記サブ制御装置および前記インターフェース装置を前記パネル収容部材の背面側に装着する動作に対応して、前記サブ制御基板側コネクタと前記インターフェース装置側コネクタとが嵌合接続されて、前記サブ制御基板と前記インターフェース装置とが電気接続され、
前記パネル収容部材の背面側に、前記インターフェース装置を保持して前記配列方向に沿ってスライド移動自在なスライド部材を備え、
前記サブ制御装置を前記パネル収容部材の背面側に装着した状態で、前記インターフェース装置を保持した前記スライド部材を前記配列方向における前記サブ制御装置側にスライド移動させることで、前記サブ制御基板と前記インターフェース装置とが近接し、前記サブ制御基板側コネクタと前記インターフェース装置側コネクタとが嵌合接続されることを特徴とする遊技機。
【請求項２】
前面側に所定の遊技領域が設けられた遊技盤と、前記遊技盤の前面側に設けられる遊技構成部品と、前記遊技盤を収容保持する枠部材と、遊技機の作動を統括的に制御するメイン制御装置と、前記遊技盤の後面側に着脱自在に設けられた画像表示ユニットとを備え、遊技展開に応じた画像を前記画像表示ユニットに表示させる制御を行って前記遊技盤に形成された開口を介して前記遊技盤の前面側から前記画像表示ユニットに表示される画像を目視可能に構成された遊技機であって、
前記画像表示ユニットが、画像を表示する液晶表示パネルを備えた液晶表示装置と、前記メイン制御装置から入力される演出指令信号に基づいて前記遊技展開に応じた演出を制御するサブ制御装置と、前記サブ制御装置から入力される制御信号に基づいて前記遊技構成部品の作動を制御するインターフェース装置とを有して構成され、
前記液晶表示装置が、前面側に画像が表示される前記液晶表示パネルと、前記液晶表示パネルを収容保持するパネル収容部材と、前記パネル収容部材内に設けられて前記サブ制御装置から供給される電力を前記液晶表示パネルに供給するためのインバータ基板とを有し、
前記サブ制御装置が、前記遊技展開に応じた前記液晶表示パネルにおける画像の表示と前記遊技構成部品の作動とを制御するサブ制御基板と、前記サブ制御基板を収容保持する基板収容部材とを有し、
前記サブ制御装置および前記インターフェース装置が、前記液晶表示装置における前記パネル収容部材の後面側に着脱自在に隣接して配列され、
前記基板収容部材が基板側係合部を備え、
前記パネル収容部材が前記基板側係合部と係脱可能なパネル側係合部を備え、
前記パネル側係合部は、前記基板側係合部と係合している状態において当該基板側係合部との係合を解除操作するための操作部を備え、
前記サブ制御装置を前記パネル収容部材に対して前記配列方向に沿って相対移動させたときに、前記基板側係合部と前記パネル側係合部とが係合して、前記サブ制御装置が前記液晶表示装置の背面側に装着され、
前記インターフェース装置が前記パネル収容部材に装着された状態で、前記画像表示装置を背面側から見たときに、前記パネル側係合部の前記操作部が前記インターフェース装置によって隠蔽されていることを特徴とする遊技機。
【発明の詳細な説明】
【技術分野】
【０００１】
本発明は、パチンコ機等の遊技機に関し、更に詳細には、画像を表示させる液晶表示装置を備え、遊技展開に応じた画像を液晶表示装置に表示させる制御を行うように構成された遊技機に関する。
【背景技術】
【０００２】
上記のような遊技機の代表例であるパチンコ機には、前面に遊技領域を形成する遊技盤を立設姿勢で収容保持した前枠に、前背面に遊技球の処理経路を一体に設けるとともに、背面に各種制御基板が取り付けられる裏セット盤を取り付けて構成され、発射装置により遊技領域上部に導いた遊技球を落下させる過程で遊技領域内に設けた入賞装置に入賞させる遊技を行うように構成されている。
【０００３】
遊技盤における遊技領域内には、多数の遊技釘、入賞装置等が取り付けられるとともに、略中央部にセンター飾りが取り付けられており、このセンター飾りに形成した開口部内に遊技展開に応じた図柄を表示させて遊技性を高めるための液晶表示装置が、例えばこの液晶表示パネルの画面を前面に臨ませた配設姿勢で取り付けられている（例えば、特許文献１を参照）。
【先行技術文献】
【特許文献】
【０００４】
【特許文献１】特開２００７−２２９２４２号公報
【発明の概要】
【発明が解決しようとする課題】
【０００５】
ところで、上記のようなパチンコ機では、例えば液晶表示装置の背面に、液晶表示装置に電力を供給するインバータ基板や、センター飾りや液晶表示装置などの演出機能を制御する制御基板類が保護ケースに覆われて一体的に設けられているが、近年においては、この制御基板が各機能別に分割して設けられる傾向であり、例えば、パチンコ機全体の演出を統括的に制御する演出制御基板、主に液晶表示装置における画像の表示を制御する画像制御基板、主に遊技盤の盤面におけるセンター飾り（電飾）や可動役物の演出を制御する演出インターフェース基板などが設けられている。しかしながら、これら液晶表示装置や回路基板類の何れかに故障が発生した場合には、不具合箇所の特定が困難であるとともに故障した回路基板類を交換する作業が煩雑であり、その結果として液晶表示装置と回路基板類の全体を丸ごと交換しなければならないという問題があった。
【０００６】
本発明は、このような課題に鑑みてなされたものであり、液晶表示装置およびこれを制御する制御基板類の何れかに不具合が生じたときに、不具合箇所の特定とともに交換作業性が改善された遊技機を提供することを目的とする。
【課題を解決するための手段】
【０００７】
このような目的達成のために、第１の本発明に係る遊技機は、前面側に所定の遊技領域が設けられた遊技盤と、遊技盤の前面側に設けられる遊技構成部品と、遊技盤を収容保持する枠部材（例えば、実施形態における前枠２）と、遊技機の作動を統括的に制御するメイン制御装置（例えば、実施形態における主制御基板３４）と、遊技盤の後面側に着脱自在に設けられた画像表示ユニット（例えば、実施形態における液晶ユニット４０）とを備え、遊技展開に応じた画像を画像表示ユニットに表示させる制御を行って遊技盤に形成された開口を介して遊技盤の前面側から画像表示ユニットに表示される画像を目視可能に構成された遊技機であって、画像表示ユニットが、画像を表示する液晶表示パネルを備えた液晶表示装置と、メイン制御装置から入力される演出指令信号に基づいて遊技展開に応じた演出を制御するサブ制御装置（例えば、実施形態における制御基板部７０）と、サブ制御装置から入力される制御信号に基づいて遊技構成部品の作動を制御するインターフェース装置（例えば、実施形態における演出インターフェース基板１３０）とを有して構成され、液晶表示装置が、前面側に画像が表示される液晶表示パネルと、液晶表示パネルを収容保持するパネル収容部材（例えば、実施形態における液晶パネルケース５１）と、パネル収容部材内に設けられてサブ制御装置から供給される電力を液晶表示パネルに供給するためのインバータ基板とを有し、サブ制御装置が、遊技展開に応じた液晶表示パネルにおける画像の表示と遊技構成部品の作動とを制御するサブ制御基板（例えば、実施形態における演出制御基板７１および画像制御基板８１）と、サブ制御基板を収容保持する基板収容部材（例えば、実施形態における基板ケース１００）とを有し、サブ制御装置およびインターフェース装置が、液晶表示装置におけるパネル収容部材の後面側に着脱自在に隣接して配列されている。
【０００８】
上記構成の遊技機によれば、画像表示ユニットを保有機能に応じて複数のユニットに分離構成、すなわち、互いに個別分離できる液晶表示装置、サブ制御装置およびインターフェース装置の３つのユニットのアッセンブリとして構成することにより、画像表示ユニットのパーツ交換や保守点検を分離した各ユニット別に行うことができる。従って、例えば画像表示ユニットが何らかの不具合によって故障等した場合に、画像表示ユニットを個別分離したユニット単位で取り扱うことができ、不具合箇所の特定が容易になるとともに故障部品の交換や搬送が容易になるため、交換費用等のコストを削減できるのと同時に、作業効率およびリサイクル性の向上を図ることが可能である。
【０００９】
なお、上述の発明では、サブ制御装置およびインターフェース装置の各々が、パネル収容部材に対して配列方向に相対的にスライド移動されてパネル収容部材に装着されるように構成され、インターフェース装置が配列方向におけるサブ制御基板側に突出するインターフェース装置側コネクタ（例えば、実施形態における接続コネクタ１３５）を有し、基板収容部材が配列方向におけるインターフェース装置側に開口形成されたコネクタ挿通口を通して当該基板収容部材内に収容されたサブ制御基板に実装されるサブ制御基板側コネクタ（例えば、実施形態における接続コネクタ７２）を当該基板収容部材の外部に露出させ、サブ制御装置およびインターフェース装置をパネル収容部材の背面側に装着する動作に対応して、サブ制御基板側コネクタとインターフェース装置側コネクタとが嵌合接続されて、サブ制御基板とインターフェース装置とが電気接続されるよう構成されている。
【００１０】
この態様では、サブ制御装置およびインターフェース装置をパネル収容部材の背面側に装着する動作に対応して、サブ制御基板側コネクタとインターフェース装置側コネクタとを嵌合接続させることが可能になる点が好ましい。このような構成によれば、液晶表示装置に対するサブ制御装置およびインターフェース装置の着脱交換の作業性が改善されるとともに、サブ制御装置およびインターフェース装置を配線接続する手間が省け配線作業に要する時間が短縮されるため、液晶ユニットの組立・分解の作業効率が向上される。また、液晶表示装置の背面にサブ制御装置およびインターフェース基板をコンパクトに集約配置することができる。
【００１１】
また、上述の発明では、パネル収容部材の背面側にインターフェース装置を保持して配列方向に沿ってスライド移動自在なスライド部材（例えば、実施形態における着脱フック６６）を備え、サブ制御装置をパネル収容部材の背面側に装着した状態で、インターフェース装置を保持したスライド部材を配列方向におけるサブ制御装置側にスライド移動させることで、サブ制御基板とインターフェース装置とが近接し、サブ制御基板側コネクタとインターフェース装置側コネクタとが嵌合接続されるよう構成されている。
【００１２】
この態様では、インターフェース装置を保持したスライド部材を配列方向におけるサブ制御装置側にスライド移動させることで、サブ制御基板側コネクタとインターフェース装置側コネクタとを嵌合接続させることが可能になる点が好ましい。このような構成によれば、基板上の素子類に手指を直接触れずにインターフェース装置とサブ制御基板との接続作業を行うことができるため、作業者の人体が帯電している静電気により基板の静電気破壊が発生するのを防止できる。
【００１３】
また、第２の本発明に係る遊技機は、前面側に所定の遊技領域が設けられた遊技盤と、遊技盤の前面側に設けられる遊技構成部品と、遊技盤を収容保持する枠部材（例えば、実施形態における前枠２）と、遊技機の作動を統括的に制御するメイン制御装置（例えば、実施形態における主制御基板３４）と、遊技盤の後面側に着脱自在に設けられた画像表示ユニット（例えば、実施形態における液晶ユニット４０）とを備え、遊技展開に応じた画像を画像表示ユニットに表示させる制御を行って遊技盤に形成された開口を介して遊技盤の前面側から画像表示ユニットに表示される画像を目視可能に構成された遊技機であって、画像表示ユニットが、画像を表示する液晶表示パネルを備えた液晶表示装置と、メイン制御装置から入力される演出指令信号に基づいて遊技展開に応じた演出を制御するサブ制御装置（例えば、実施形態における制御基板部７０）と、サブ制御装置から入力される制御信号に基づいて遊技構成部品の作動を制御するインターフェース装置（例えば、実施形態における演出インターフェース基板１３０）とを有して構成され、液晶表示装置が、前面側に画像が表示される液晶表示パネルと、液晶表示パネルを収容保持するパネル収容部材（例えば、実施形態における液晶パネルケース５１）と、パネル収容部材内に設けられてサブ制御装置から供給される電力を液晶表示パネルに供給するためのインバータ基板とを有し、サブ制御装置が、遊技展開に応じた液晶表示パネルにおける画像の表示と遊技構成部品の作動とを制御するサブ制御基板（例えば、実施形態における演出制御基板７１および画像制御基板８１）と、サブ制御基板を収容保持する基板収容部材（例えば、実施形態における基板ケース１００）とを有し、サブ制御装置およびインターフェース装置が、液晶表示装置におけるパネル収容部材の後面側に着脱自在に隣接して配列され、基板収容部材が基板側係合部（例えば、実施形態におけるロックアーム１１３）を備え、パネル収容部材が基板側係合部と係脱可能なパネル側係合部（例えば、実施形態におけるロック爪６２）を備え、パネル側係合部は基板側係合部と係合している状態において当該基板側係合部との係合を解除操作するための操作部を備え、サブ制御装置をパネル収容部材に対して配列方向に沿って相対移動させたときに、基板側係合部とパネル側係合部とが係合してサブ制御装置が液晶表示装置の背面側に装着され、このようにインターフェース装置がパネル収容部材に装着された状態で、画像表示装置を背面側から見たときに、パネル側係合部の操作部がインターフェース装置によって隠蔽されて構成されている。
【００１４】
この態様では、インターフェース装置がパネル収容部材に装着された状態で、画像表示装置を背面側から見たときに、パネル側係合部の操作部がインターフェース装置によって隠蔽させることが可能になる点が好ましい。このような構成によれば、意図しない操作部への接触をガードして、電源が投入された状態において液晶ユニットからサブ制御装置が不用意に離脱するのを未然に防止できる。また、これによりサブ制御装置とインターフェース装置との接続状態を確実に維持することが可能である。
【発明の効果】
【００１５】
本発明に係る遊技機によれば、画像表示ユニットを保有機能に応じて複数のユニットに分離構成しているため、画像表示ユニットの不具合箇所の特定とともに交換作業性を向上させることが可能である。
【図面の簡単な説明】
【００１６】
【図１】本発明に係る遊技機の一例として示すパチンコ機の正面図である。
【図２】上記パチンコ機の背面図である。
【図３】上記パチンコ機に装着される遊技盤の正面図である。
【図４】上記遊技盤の背面図である。
【図５】上記パチンコ機の基板配置とともに制御系の一部を示すブロック図である。
【図６】上記パチンコ機に備えられる液晶ユニットを正面から見た斜視図である。
【図７】上記液晶ユニットを背面から見た斜視図である。
【図８】上記液晶ユニットの背面図である。
【図９】上記液晶ユニットの側面図である。
【図１０】図８における矢印X−Xに沿って示す断面図である。
【図１１】図８における矢印XI−XIに沿って示す断面図である。
【図１２】図８における矢印XII−XIIに沿って示す要部断面図である。
【図１３】上記液晶ユニットの液晶表示装置の背面図である。
【図１４】上記液晶ユニットの制御基板部の正面図である。
【図１５】上記制御基板部の背面図である。
【図１６】上記制御基板部の側面図である。
【図１７】図１４における矢印XVII−XVIIに沿って示す断面図である。
【図１８】基板ケースを開放した状態において制御基板部と演出インターフェース基板との接続状態を示す模式図である。
【発明を実施するための形態】
【００１７】
以下、本発明の好ましい実施形態について図面を参照しながら説明する。まず、本発明に係る遊技機を適用したパチンコ機ＰＭの全体構成を図１〜図５の各図を参照しながら概要説明する。ここで、図１はパチンコ機ＰＭの正面図、図２はパチンコ機ＰＭの背面図、図３はパチンコ機ＰＭに装着される遊技盤の正面図、図４は遊技盤の背面図、図５はパチンコ機ＰＭにおける基板配置とともに制御系の一部を示すブロック図である。
【００１８】
パチンコ機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１９】
前枠２の前面側には、前枠２の上部前面域に合わせた方形状のガラス扉５が上下のヒンジ機構３を利用して横開き開閉および着脱可能に組み付けられ、施錠装置４を利用して常には前枠２の前面を覆う閉鎖状態に保持される。ガラス扉５の背後に位置する前枠２の前面側には、遊技盤１０を着脱可能に収容する収容枠が設けられており、この収容枠の上部領域に遊技盤１０が後方から着脱可能にセット保持され、常には閉鎖保持されるガラス扉５を通して遊技盤１０の正面の遊技領域ＰＡを臨ませるようになっている。
【００２０】
遊技盤１０は、図３に示すように、ルータ加工等を施した矩形状の積層合板に、所定の図柄が印刷されたセルを貼り付けて成型される化粧板１１を基板として構成される。化粧板１１の前面には、遊技球が転動可能な略円形の遊技領域ＰＡが区画形成され、図３では詳細図示を省略しているが、この遊技領域ＰＡに多数本の遊技釘、風車、中央飾り、各種入賞具などの遊技構成部品が設けられ、遊技領域ＰＡの下端部には入賞具に落入することなく落下した遊技球を裏面側に排出させるアウト口が化粧板１１を前後に貫通して形成されている。また、遊技盤１０の背面側には、図４に示すように、球寄せカバー１２の他にも、後述する主制御基板を収容する主基板アッセンブリや、演出制御基板および画像制御基板等を備える液晶ユニットが設けられている。
【００２１】
ガラス枠５の下部には前面側に遊技球を貯留する上下の球皿６，７が設けられ、この下球皿７の正面右側には遊技球の発射操作を行う操作ハンドル８が設けられている。なお、ガラス扉５の前面側には発光ダイオード（ＬＥＤ）やランプ等の電飾装置や、遊技の展開状態に応じて効果音を発生させるスピーカ等が適宜設けられるが、図１においてはこれらを取り外した状態を示している。
【００２２】
前枠２の裏面側には、図２に示すように、中央に前後連通する窓口を有して前枠２よりも幾分小型の矩形枠状に形成された基枠体をベースとしてなる裏セット盤２０が、上下のヒンジ機構３を介して前枠２後方に横開き開閉および着脱が可能に連結されている。この裏セット盤２０には、図２に示すように、遊技球を貯留する球貯留タンク２１、球貯留タンク２１から右方に緩やかな下り傾斜を有して延びるタンクレール２２、タンクレール２２の右端部に繋がり下方に延びる整列待機通路２３、整列待機通路２３の下端部に繋がって設けられた球払出装置２４、球払出装置２４の下方に設けられて球払出装置２４から払い出された遊技球を上球皿６に導く払出通路（図示せず）、この払出通路から分岐して上球皿６が満杯の状態で払い出された遊技球を下球皿７に導く溢れ球通路（図示せず）等が設けられている。また、裏セット盤２０の背面側部分にも、後述するように各種制御基板が取り付けられている。
【００２３】
以上のように構成されるパチンコ機ＰＭは、外枠１が遊技施設の遊技島（設置枠台）に固定設置され、前枠２、ガラス扉５等が閉鎖施錠された状態で遊技に供され、上球皿６に遊技球を貯留させて発射ハンドル８を回動操作することにより遊技が開始される。発射ハンドル８が回動操作されると、上球皿６に貯留された遊技球が、ガラス扉５の裏面側に配設される球送りカセットによって１球ずつ遊技補助盤のガイドホルダに送り出され、発射機構のハンマーにより遊技領域ＰＡに打ち出されてパチンコゲームが展開される。
【００２４】
ここで、遊技盤１０および裏セット盤２０における各種制御基板の配置構成について、図２、図４および図５を参照しながらもう少し詳しく説明する。なお、図５に示す矢印は電力または信号等のやり取りを示すもので、この矢印の指す方向に電力の供給もしくは信号の送信が実行される。
【００２５】
裏セット盤２０の背面側下部には、交流電源と電気接続されてパチンコ機ＰＭの各制御基板に電力を供給する電源基板３１と、ガラス扉５のランプ制御、音声制御およびアクチュエータ制御等の各種演出の制御を行う枠演出接続基板３２とが左右に並んで配設されており、遊技球発射装置の制御とともに遊技球の払い出しに関する制御を行う払出制御基板３３が電源基板３１および枠演出接続基板３２の後方を覆うように取り付けられている。
【００２６】
また、遊技盤１０の背面側にはパチンコ機ＰＭにおける制御の中枢を担う主制御基板３４が設けられており、この主制御基板３４は、不正な改造行為を防止するために透明な樹脂製の基板ケースに収容されて主基板アッセンブリ３４Ａを構成している。この主制御基板３４の前面側には遊技盤中継端子板３５が取り付けられている。また、遊技盤１０の背面側において主制御基板３４の上方には、各種遊技状態に応じた演出画像や抽選図柄を表示させるための液晶表示パネル５２が配設され、この液晶表示パネル５２の後面側に、液晶中継基板５６、インバータ基板５７、演出制御基板７１、画像制御基板８１、演出ＲＯＭ基板９１、および演出インターフェース基板１３０などの回路基板類が取り付けられて後述する液晶ユニット４０が構成されている。
【００２７】
なお、演出制御基板７１、画像制御基板８１、および枠演出接続基板３２は、従来は演出基板として一体的に構成されていた回路基板であるが、この演出基板として構成された回路基板を複数に分割して、遊技盤１０（および液晶表示パネル５２）固有の演出機能を実現するための演出制御基板７１および画像制御基板８１を遊技盤１０側に設け、遊技盤１０の種別にかかわらず枠共通の演出機能を実現するための枠演出接続基板３２を裏セット盤２０側に設けている。
【００２８】
こうして、遊技盤１０の背面側に、液晶表示パネル５２を含み当該液晶表示パネル５２に表示される画像の制御等を行う演出制御基板７１および画像制御基板８１などが収容保持された液晶ユニット４０が取り付けられている。遊技盤１０の中央部には、図４に示すように、化粧板１１を前後に貫通する中央飾り取付孔１３が開口形成されており、この中央飾り取付孔１３に中央飾り１５が取り付けられる。中央飾り１５の中央部には前後に開口した略直方体形の内部空間１６（図３を参照）が形成されており、この内部空間１６の開口面域は遊技盤１０の背面側に設けられる液晶ユニット４０の表示画面サイズに合わせて形成されている。また、遊技盤１０の背面側に液晶ユニット取付部（図示せず）が複数配設されており、これに対応して液晶ユニット４０側部の上下には取付突起部５５が形成され、この取付突起部５５がネジ締結等によって液晶ユニット取付部に取り付けられて液晶ユニット４０が遊技盤１０に固定される。液晶ユニット４０が遊技盤１０に固定されると、ガラス扉５および内部空間１６を通じて、遊技者がパチンコ機ＰＭの正面から液晶ユニット４０の表示画面全体を視認可能になっている。
【００２９】
それでは、本実施形態の特徴部分である液晶ユニット４０の具体的構成について、図６〜図１８を追加参照して以下に説明する。ここで、図６は液晶ユニット４０を正面から見た斜視図、図７は液晶ユニット４０を背面から見た斜視図、図８は液晶ユニットの背面図、図９は液晶ユニット４０の側面図、図１０は図８における矢印X−Xに沿って示す断面図、図１１は図８における矢印XI−XIに沿って示す断面図、図１２は図８における矢印XII−XIIに沿って示す要部断面図、図１３は液晶ユニット４０を構成する液晶表示装置の背面図、図１４は液晶ユニット４０を構成する制御基板部の正面図、図１５は制御基板部の背面図、図１６は制御基板部の側面図、図１７は図１４における矢印XVII−XVIIに沿って示す断面図、図１８は基板ケースを開放した状態において制御基板部と演出インターフェース基板との接続状態を示す模式図である。なお、以下の説明においては、図６および図７の状態を基準にして前後左右および上下を定義する。
【００３０】
液晶ユニット４０は、遊技盤１０の背面に取り付けられたときに表示画面となり画像を表示するための液晶表示パネル５２を有する正面視略矩形状の横長型の液晶表示装置５０と、液晶表示装置５０の後面側に設けられ液晶表示パネル５２における画像の表示を制御する回路基板類を備える制御基板部７０と、液晶表示装置５０の後面側であって制御基板部７０の右側に隣接して設けられた演出インターフェース基板（「後着け基板」とも称する）１３０とを主体に構成されている。すなわち、液晶ユニット４０は、取付突起部５５がネジ締結等で液晶ユニット取付部に取り付けられて遊技盤１０に固定され、この液晶ユニット４０が遊技盤１０に取付固定された場合に、遊技盤１０の背面に液晶表示装置５０の前面（表示画面）が対向し、液晶表示装置５０の後面に制御基板部７０および演出インターフェース基板１３０が左右に並んで配列される。
【００３１】
液晶表示装置５０は、前方へ開口する矩形箱状に形成された液晶パネルケース５１と、この液晶パネルケース５１に収容され画像を液晶表示する正面視略矩形状の液晶表示パネル５２と、液晶表示パネル５２を保護するために液晶表示パネル５２の前面側で表示画面５２ａに密着するとともに表示画面５２ａの全体を覆う透明な平板状の保護パネル５３と、液晶表示パネル５２および保護パネル５３を前面側から液晶パネルケース５１に嵌め合わせ液晶表示パネル５２および保護パネル５３を保持する矩形フレーム状のパネル枠部材５４とを有して構成される。なお、パネル枠部材５４は、液晶パネルケース５１に対して複数のビス（図示せず）を用いて取付および取外可能に構成されている。また、液晶パネルケース５１および保護パネル５３は、アクリル等を材質とする透明な樹脂を所定の形状に成形したものからなり、パネル枠部材５４は、金属板を打抜および曲げ加工して所定の形状に成形したもので構成される。
【００３２】
液晶パネルケース５１には、上述した取付突起５５が外方に突出形成されており、この取付突起５５に穿設された取付孔５５ａに挿入されるビス（図示せず）により遊技盤１０に締結されている状態からビスを緩めることで、液晶ユニット４０が遊技盤１０から取り外し可能である。
【００３３】
液晶パネルケース５１の背面側には、制御基板部７０および演出インターフェース基板１３０を取り付けるためのブラケット部６０が一体的に設けられている。ブラケット部６０には、図１３に示すように、このブラケット部６０を表裏貫通して左右方向に延びる４箇所のガイド孔６１と、可撓性を有して前後に揺動可能なロック爪６２と、ブラケット部６０から後方に向けて突設される複数のガイドリブ６３，６４および一対のストッパ６５と、ブラケット部６０に対して左右方向に相対移動自在に設けられた着脱フック６６（図７等を参照）と、演出インターフェース基板１３０をブラケット部６０にビス止めするためのネジボス６９とが設けられている。
【００３４】
ブラケット部６０のガイド孔６１は、背面視において略Ｌ字状に形成されており、上側の２箇所のガイド孔６１と下側２箇所のガイド孔６１とは上下対称に形成されている。このガイド孔６１には、右側の内側端から内方に突出した薄板状の係止片６１ａが設けられている。
【００３５】
ロック爪６２は、ブラケット部６０の一部を略Ｕ字型に切り欠くことで前後に揺動可能（弾性変形可能）になっており、後方に向けて突出する略鉤爪形状の係止爪部６２ａと、前方に押圧操作することでロック爪６２全体を弾性変形させて係合爪部６２ａの係脱操作を行うための操作部６２ｂとが一体的に形成されて構成される。この係止爪部６２ａには、先端側から基端側に向けて厚みが大きくなるように形成された傾斜面６２ｃと、基端側に形成された係止面６２ｄとが設けられている。
【００３６】
着脱フック６６は、演出インターフェース基板１３０の背面を受ける平坦面６６ｂが形成されたスライド部６６ａと、スライド部６６ａの中央に設けられ後方に向けて突設される円筒状の位置決めピン６６ｃと、スライド部６６ａの側端から後方に向けて屈曲して延びる平板状の摘み部６６ｄとを備えており、スライド部６６ａがブラケット部６０に形成された左右方向に延びる一対のレール孔６７，６７に係合することで当該レール孔６７に沿ってスライド移動可能に構成されている。ここで、ブラケット部６０には一部を略Ｕ字型に切り欠くことで前後に揺動可能（弾性変形可能）に形成された弾性片６８が設けられ、この弾性片６８の略中央に突出形成された突起６８ａにスライド部６６ａの底面に形成された左右一対の突起受容溝６６ｅの一方が係合することで、着脱フック６６が左右方向にスライド移動したときにブラケット部６０に対して着脱フック６６が位置決めされる。なお、スライド部６６ａの平坦面６６ｂと第１ガイドリブ６３の先端面６３ａとはほぼ同一面内に位置し、スライド部６６ａの平坦面６６ｂおよび第１ガイドリブ６３の先端面６３ｂに演出インターフェース基板１３０の背面を当接させた状態で、演出インターフェース基板１３０がブラケット部６０と平行な面内に配設されるようになっている。また、第２ガイドリブ６４は側断面Ｌ字型に形成されており、演出インターフェース基板１３０がブラケット部６０に装着された状態で、この第２ガイドリブ６４先端の折り返し部６４ａが演出インターフェース基板１３０の表面に重なるようになっている。
【００３７】
また、液晶パネルケース５１の内部において、液晶表示パネル５２の背面側には、液晶表示パネル５２との接続を行うハーネス（図示せず）が繋がれる液晶中継基板５６（図５を参照）が液晶パネルケース５１にビス止めされて収容保持され、液晶表示パネル５２の左側には、液晶表示パネル５２のバックライト用の電源装置であるインバータ基板５７（図５を参照）が後方に凹んだインバータ基板取付部５８にビス止めされて収容保持されている。インバータ基板５７は、電力供給用のハーネス（図示せず）を介して液晶中継基板５６と繋がっており、画像制御基板８１から液晶中継基板５６を介して電力の供給を受ける。また、このインバータ基板５７からは、液晶表示パネル５２への電力供給用のハーネス（図示せず）が延びており、この電力供給用のハーネスを介して液晶表示パネル５２に向けて電力を供給することで、液晶表示パネル５２に所定の画像を液晶表示させることが可能である。
【００３８】
制御基板部７０は、主制御基板３４から入力される演出指令信号に基づいてパチンコ機ＰＭの機種および遊技展開に応じた演出を制御する演出制御基板７１と、演出制御基板７１から入力される制御信号に基づいて主として液晶表示パネル５２の作動を制御する画像制御基板８１と、基板ホルダ９４を介して画像制御基板８１に接続される演出ＲＯＭ基板９１と、これらの基板を一体的に収容保持する基板ケース１００とを主体に構成される。
【００３９】
演出制御基板７１は、矩形形状のプリント配線板７１ａを基板とし、このプリント配線板７１ａに種々の半導体デバイスや抵抗、コンデンサ等の電子部品が実装されて演出処理回路が形成されており、主制御基板３４側から演出制御基板７１へ一方向通信可能となるように電気接続されている。この演出制御基板７１には、基板ケース１００に開口形成されたコネクタ挿通口１２９を介して外部に露出する接続コネクタ（所謂「ボード・トゥ・ボードコネクタ」）７２が設けられている。また、演出制御基板７１の左方部には画像制御基板８１と電気接続するための接続コネクタ（所謂「ボード・トゥ・ボードコネクタ」）７３が設けられている。なお、演出制御基板７１の下方に位置する接続コネクタ７４は主制御基板３４と電気接続するためのコネクタであり、接続コネクタ７５は枠演出接続基板３２と電気接続するためのコネクタである。接続コネクタ７５の右脇には音量を調節するための音声ボリューム７６が外部から操作可能に設けられている。
【００４０】
画像制御基板８１は、主として液晶表示装置５０の作動を制御するための基板であり、演出制御基板５１からの制御信号に基づいて、遊技展開状況に応じて演出ＲＯＭ基板９１のキャラクタＲＯＭ９２に記憶された画像データ（アニメーション画像）を読み出し、液晶中継基板５６を介して液晶表示パネル５２に映像出力信号を出力してアニメーション映像を液晶表示させる。なお、画像制御基板８１からの信号出力には、高速伝送を確保しつつノイズの影響を回避するため、ＬＶＤＳを利用している。
【００４１】
この画像制御基板８１は、画像制御基板７１よりも大きめの矩形形状のプリント配線基板８１ａを基板とし、このプリント配線板８１ａに種々の半導体デバイスや抵抗、コンデンサ等の電子部品が実装されて、液晶表示パネル５２を駆動する液晶パネル駆動回路などが形成され、プリント配線板８１ａの右方部に設けられた接続コネクタ（所謂「ボード・トゥ・ボードコネクタ」）８２と演出制御基板７１の接続コネクタ７３とを嵌合接続されることで、画像制御基板８１と演出制御基板７１とが電気接続（すなわち、ボード・トゥ・ボード接続）されるようになっている。このように画像制御基板８１と演出制御基板７１は、ボード・トゥ・ボード接続により基板ケース１００内において左右に並べて配設される。プリント配線板８１ａの左上部には演出ＲＯＭ基板９１が基板ホルダ９４に収容保持された状態でスタック実装されている。また、画像制御基板８１の左方部には接続コネクタ８３が実装されており、この接続コネクタ８３に接続されたハーネス（図示せず）を介して液晶中継基板５６と電気接続される。
【００４２】
演出ＲＯＭ基板９１は、厚さが１mm程度で横長矩形のプリント配線板９１ａを基板として、このプリント配線板９１ａにそれぞれ多数のアニメーション画像が記憶されたキャラクタＲＯＭ９２が複数実装されたＲＯＭボードとなっている。画像制御基板８０と演出ＲＯＭ基板９１との間の電気接続は、これら両基板８１，９１の入出力端子間を嵌脱自在にスタック接続するスタック実装型形態の接続コネクタ（所謂「ボード・トゥ・ボードコネクタ」）８４，９３（図１２を参照）により行われる。また、プリント配線板９１ａの左右縁部に、ＲＯＭ基板９１を基板ホルダ９４に取り付けるための固定ネジ（図示せず）を挿通させるネジ挿通孔９１ｂがこのプリント配線板９１ａを表裏貫通して形成されている。
【００４３】
基板ホルダ９４は、平面視における形状がＲＯＭ基板９１よりも大きい矩形枠状で、接続コネクタ９３の嵌合高さに合わせた上下方向厚さを有し、ＲＯＭ基板９１を着脱可能に収容保持する基板保護および接続固定用のスペーサ部材（「メモリースペーサ」とも称される）である。基板ホルダ９４は、後方の基壁９５Ｂおよびこの基壁９５Ｂを囲んで前方に延びる左右の側壁９５Ｌ，９５Ｒからなる囲壁部９５と、左右の側壁９５Ｌ，９５Ｒのそれぞれ中央部に下方に延びるとともに下端部に鉤爪形の爪部９６ａが形成されたフックアーム９６と、基壁９５Ｂの左右縁部から上方に突設された円筒状のボス部９７と、ボス部９７に上下に延びて形成され固定ネジ（図示せず）が螺挿されるネジ受容孔９８とを備えており、例えば、ポリカーボネートやＡＢＳ樹脂等の樹脂材料を用いて射出成形等の成形手段により一体に形成される。なお、画像制御基板８１のプリント配線板８１ａには、固定ネジ（図示せず）によって基板ホルダ９４に演出ＲＯＭ基板９１を取り付けた状態における両接続コネクタ８４，９３の整合位置に、左右のフックアーム９６の爪部９６ａを受容するフック受容孔８６がプリント配線板８１ａを表裏貫通して開口形成されている。
【００４４】
基板ケース１００は、後面側が開口した略矩形箱状のケース本体部材１１０と、このケース本体部材１１０の後面開口を覆うように着脱可能に取り付けられるケース蓋部材１２０とを備えて構成され、これらが重なり合うことでその内部に画成される基板収容室１０１に演出制御基板７１、画像制御基板８１および演出ＲＯＭ基板９１が収容保持される。基板ケース１００を構成するケース本体部材１１０およびケース蓋部材１２０は、透明な樹脂材料を用いて射出成形等の成形手段により形成されており、基板ケース１００の外部から内部に配設された各基板等の状態が目視確認できるようになっている。
【００４５】
ケース本体部材１１０は、後面側に開口を有する略矩形箱状に形成されており、その内面側底部には補強リブ１１１が縦横に格子状に形成されてケース本体部材１１０の強度を向上させている。ケース本体部材１１０の前面（パネル収容部材のブラケット部に対向する面）には、前方外方に突出する案内リブ１１２が形成されている。この案内リブ１１２は側断面視Ｌ字状に形成されてブラケット部６０のガイド孔６１に挿入可能に構成されており、案内リブ１１２をガイド孔６１に挿入して係止片６１ａ側に移動させると、案内リブ１１２と係止片６１ａとが係合して、この係止片６１ａによって案内リブ１１２の上下および前後移動が規制されるようになっている。なお、案内リブ１１２は、前述のブラケット部６０のガイド孔６１と同じ数（４箇所）だけ形成されており、その配置間隔もガイド孔６１と対応している。
【００４６】
また、ケース本体部材１１０の右端側には、前述したブラケット部６０のロック爪６２と係脱可能なロックアーム１１３が右方外方へ突出形成されている。このロックアーム１１３は、ケース本体部材１１０の側壁部から右方に延びて可撓性を有する腕部１１３ａと、この腕部の先端部分に一体的に形成され前方に向けて突出する略鉤爪形状の係止爪部１１３ｂとを有して構成されている。この係止爪部１１３ｂには、先端側から基端側に向けて厚みが大きくなるように形成された傾斜面１１３ｃと、基端側に形成された係止面１１３ｄとが設けられている。
【００４７】
ケース蓋部材１２０は、後壁１２１Ｂおよびこの後壁１２１Ｂを囲んで前方に延びる上下左右の側壁１２１Ｕ，１２１Ｄ，１２１Ｌ，１２１Ｒを有し、全体として前面開放の矩形箱状に形成されている。ケース蓋部材１２０の後壁１２１Ｂには、演出制御基板７１上に配設された接続コネクタ７４，７５および音声ボリューム７６をケース外部に露出させるためのコネクタ挿抜口１２２が形成されるとともに、画像制御基板８１上に配設された接続コネクタ８３をケース外部に露出させるためのコネクタ挿抜口１２３が形成されている。各コネクタ挿抜口１２２，１２３は、各接続コネクタ７４，７５，８３および音声ボリューム７６の実装位置と対応した位置に形成されており、各コネクタ挿抜孔１２２，１２３を介して後方に露出される各接続コネクタ７４，７５，８３に、他の制御基板（主制御基板３４、枠演出接続基板３２、液晶中継基板５６）の接続コネクタとがハーネス（図示せず）を介して電気接続されている。なお、ケース蓋部材１２０の上下の側壁１２１Ｕ，１２１Ｄには細長いスリット状の長孔１２４が多数形成されており、これらの長孔１２４が冷却空気をケース内部に取り込むための吸気口となっている。
【００４８】
また、ケース蓋部材１２０の後壁１２１Ｂには、基板ホルダ９４のボス部９７を嵌挿可能なボス受容孔１２５が穿設されている。図１８に示すように、本実施形態ではＲＯＭ基板９１の大型化（ＲＯＭ基板９１に実装される電子部品点数の増大）に伴い、これを保持する基板ホルダ９４も大型化してその一部が画像制御基板８１のプリント配線板８１ａから外方へはみ出して配設され、その分だけプリント配線板８１ａによる基板ホルダ９４の支持面積（プリント配線基板８１ａに対して基板ホルダ９４が当接する面積）が縮減しているが、基板ホルダ９４のボス部９７がケース蓋部材１２０のボス受容孔１２５に嵌挿支持されることによって、基板ホルダ９４によるＲＯＭ基板９１の支持安定性が向上されるとともに、基板ケース１００のこじ開けに対する耐力が強固になり、この基板ケース１００に収容保持される制御基板に対する不正なアクセスを防止することが可能になる。
【００４９】
また、ケース本体部材１１０の内面側底部には中心にネジ孔を有する円筒状のネジボス１１６が６箇所突出成形されており、ケース蓋部材１２０にはケース本体部材１１０のネジボス１１６に位置整合して円筒状の挿入孔１２６が６箇所形成されている。よって、図示しない固定ネジをケース蓋部材１２０の挿入孔１２６から挿入し、基板ケース１００内に収容された基板（演出制御基板７１、画像制御基板８１）の基板取付孔７９，８９に挿入して、ケース本体部材１１０のネジボス（ネジ孔）１１６に螺挿することにより、演出制御基板７１および画像制御基板８１がネジボス１１６の頂部に当接した状態で基板ケース１００にネジ締結されて固定される。
【００５０】
なお、演出制御基板７１、画像制御基板８１および演出ＲＯＭ基板９１は、これら基板の周囲から放射される電磁ノイズの影響を排除するために、基板ケース１００内において薄板金属製のシールド部材１０２に前面側から覆われて基板収容室１０１に配設されている。
【００５１】
演出インターフェース基板１３０は、遊技盤１０の盤面に配設された中央飾り１５の電飾や可動役物等の遊技構成部品１９（図５を参照）に図示しないハーネスを介して電気接続されており、演出制御基板７１から入力される制御信号（ランプ制御信号およびアクチュエータ制御信号）に基づいて、遊技盤１０のランプ制御およびアクチュエータ制御を実行する。
【００５２】
この演出インターフェース基板１３０は、演出制御基板７１よりも小さめの矩形形状のプリント配線板１３０ａを基板とし、このプリント配線板１３０ａに複数の接続コネクタ１３１等が実装されており、右側縁部の上下２箇所にはこの演出インターフェース基板１３０をブラケット部６０にビス止めするための基板取付孔１３２が設けられ、左側縁部の上下２箇所にはブラケット部６０のストッパ６５が嵌入するＵ字状溝１３３が設けられ、左側縁部の中央には着脱フック６６の位置決めピン６６ｃを嵌挿可能な大きさに穿設されたピン嵌挿孔１３４が設けられている。また、演出インターフェース基板１３０には、演出制御基板７１と電気接続するための接続コネクタ（所謂「ボード・トゥ・ボードコネクタ」）１３５が左側方に突出して設けられており、この接続コネクタ１３５と演出インターフェース基板７１の接続コネクタ７２とが嵌合接続されることで、演出制御基板７１と演出インターフェース基板１３０とが電気接続（すなわち、ボード・トゥ・ボード接続）されるようになっている。
【００５３】
このように構成される液晶ユニット４０を組み立てるには、液晶表示装置５０の背面左側に制御基板部７０を組み付け、この制御基板部７０に隣り合うように演出インターフェース基板１３０を液晶表示装置５０の背面右側に組み付けるという順番で行われる。なお、以下の説明においては、各基板間を繋ぐ上記ハーネスの挿脱についての説明を省略する。
【００５４】
まず、液晶表示装置５０背面のブラケット部６０に制御基板部７０を組み付けるためには、ブラケット部６０のガイド孔６１に制御基板部７０のガイドリブ１１２を位置整合させて後方から水平に挿入し、ブラケット部６０に対して制御基板部７０を右方に移動させて、ガイドリブ１１２をガイド孔６１に沿って右方にスライドさせる。ガイドリブ１１２がガイド孔６１内において右方にスライドしてガイド孔６１の係止片６１ａに係合すると、液晶表示装置５０に対する制御基板部７０の前後および上下移動が規制される。
【００５５】
また、このとき制御基板部７０のロックアーム１１３と液晶表示装置５０のロック爪６２とは左右（スライド方向）に対向しているため、液晶表示装置５０のブラケット部６０に対して制御基板部７０を右方に移動させていくと、ロックアーム１１３の係止爪部１１３ｂの傾斜面１１３ｃがロック爪６２の係止爪部６２ａの傾斜面６２ｃに摺接してこの互いの傾斜面の作用を受けて、これらロックアーム１１３とロック爪６２とが外方（相反する方向）に弾性変形する。ガイドリブ１１２の外側端がガイド孔６１の内側端に突き当たり、ロックアーム１１３の傾斜面１１３ｃとロック爪６２の傾斜面６２ｃとが離間したところで、互いに外方へ撓んでいたロックアーム１１３およびロック爪６２が弾性的に内方へ復帰して、ロックアーム１１３の係止突起１１３ｂとロック爪６２の係止突起６２ａとが互いの係止面６２ｄ，１１３ｄを当接させて係合する。こうしてロックアーム１１３とロック爪６２とが係合することで、液晶表示装置５０に対して制御基板部７０が連結された状態となる。
【００５６】
続いて、液晶表示装置５０に対して演出インターフェース基板１３０を組み付けるためには、液晶表示装置５０背面（ブラケット部６０）の着脱フック６６の位置決めピン６６ｃに演出インターフェース基板１３０のピン嵌挿孔１３４が挿入されるように位置合わせして、演出インターフェース基板１３０を着脱フック６６のスライド部６６ａおよびガイドリブ６３等に載置する。この状態で着脱フック６６をレール孔６７に沿って左方にスライドさせると、着脱フック６６の位置決めピン６６ｃによって仮止めされた演出インターフェース基板１３０も着脱フック６６と一体となって複数のガイドリブ６３に案内されながら左方に水平移動する。
【００５７】
ここで演出インターフェース基板１３０の接続コネクタ１３５と演出制御基板７１の接続コネクタ７２とは左右（スライド方向）に対向しており、演出インターフェース基板１３０を左方にスライドしていくと、演出インターフェース基板１３０の接続コネクタ１３５が演出制御基板７１の接続コネクタ７２に嵌合接続される。すなわち、演出インターフェース基板１３０のスライド方向と、接続コネクタ７２，１３５の嵌合方向とが一致しているため、演出インターフェース基板１３０の液晶表示装置５０（ブラケット部６０）への装着動作に伴って、演出インターフェース基板１３０の接続コネクタ１３５と演出制御基板７１の接続コネクタ７２とが嵌合接続され、演出インターフェース基板１３０と演出制御基板７１とが電気接続される。なお、上記のように演出インターフェース基板１３０の接続コネクタ１３５を演出制御基板７１の接続コネクタ７２に嵌合接続させる際には、演出インターフェース基板１３０を着脱フック６６に載置してこの着脱フック６６の摘み６６ｄを掴んで左方にスライド移動させるだけでよいため、演出制御基板７１および演出インターフェース基板１３０に作業者の手指が触れることが回避され、作業者の人体に帯電する静電気によってこれらの基板７１，１３０が静電気破壊するのを防止できる。
【００５８】
このように演出インターフェース基板１３０と演出制御基板７１とが電気接続された状態では、演出インターフェース基板１３０のＵ字状溝１３３にストッパ６５が嵌入して演出インターフェース基板１３０がブラケット部６０に対して位置決めされ、演出インターフェース基板１３０の基板取付孔１３２とブラケット部６０のネジボス６９とが位置整合する。
【００５９】
こうして演出インターフェース基板１３０がブラケット部６０に位置決めされたら、この演出インターフェース基板１３０の表面側から基板取付孔１３２を通してビス（図示せず）をブラケット部６０のネジボス６９のネジ孔に螺合締結して、液晶表示装置５０のブラケット部６０に演出インターフェース基板１３０が固定される。このように液晶表示装置５０の背面側に制御基板部７０および演出インターフェース基板１３０が左右に隣接して取り付けられ、保有機能に応じて互いに個別分離可能な液晶表示装置５０、制御基板部７０および演出インターフェース基板（後着け基板）１３０の３つのユニットのアセンブリからなる液晶ユニット４０が組み立てられる。
【００６０】
なお、このように液晶ユニット４０が組み立てられた状態では、ブラケット部６０のロック爪６２は演出インターフェース基板１３０の裏側に隠蔽されて、外部からこのロック爪６２の操作部６２ｂにアクセスできなくなるため、演出制御基板７１が液晶表示装置５０のブラケット部６０から不用意に離脱するのを防止できる。
【００６１】
一方、このように組み立てられた液晶ユニット４０において、液晶表示装置５０、制御基板部７０および演出インターフェース基板１３０からなるアセンブリを分離させるためには、上記の手順とは逆の手順で行われる。
【００６２】
まず始めに、液晶ユニット４０の背面側から演出インターフェース基板１３０における２箇所のビス（図示せず）を緩めて外し、液晶表示装置５０のブラケット部６０に対する演出インターフェース基板１３０の固定を解除する。この状態から着脱フック６６の摘み６６ｄを掴んで、演出インターフェース基板１３０が載置された着脱フック６６をレール孔６７に沿って右方にスライドさせ、演出制御基板７１から演出インターフェース基板１３０を右方に離間させる。そうすると、この動作に伴って、演出制御基板７１の接続コネクタ７２から演出インターフェース基板１３０の接続コネクタ１３５が抜脱され、演出制御基板７１と演出インターフェース基板１３０との電気接続が解除される。
【００６３】
そして、演出インターフェース基板１３０の上下の左端部をガイドリブ６４の折り返し部６４ａより右方に脱した状態で、演出インターフェース基板１３０のピン嵌挿孔１３４を着脱フック６６の位置決めピン６６ｃから後方にまっすぐ引き抜いて、液晶表示装置５０のブラケット部６０から演出インターフェース基板１３０を取り外す。
【００６４】
演出インターフェース基板１３０を取り外すと、ブラケット部６０のロック爪６２が後方に露出され、ロック爪６２の解除操作が可能になる。こうしてロック爪６２の操作部６２ｂにアクセス可能な状態となったところで、この操作部６２ｂを前方に向かって押動操作すると、ロック爪６２の係止爪部６２ａが制御基板部７０のロックアーム１１３の係止爪部１１３ｂから離反する方向に弾性的に撓んで、これにより両者の係合が解除される。
【００６５】
上記係合が解除された状態で、制御基板部７０を液晶表示装置５０のブラケット部６０に対して左方に移動させると、制御基板部７０のガイドリブ１１２がブラケット部６０のガイド孔６１に沿って左方にスライドされる。そして、ガイドリブ１１２の外側端がガイド孔６１の内側端に突き当ったところで、制御基板部７０のガイドリブ１１２をブラケット部６０のガイド孔６１から後方にまっすぐ引き抜けば、制御基板部７０を液晶表示装置５０のブラケット部６０から取り外すことができる。こうして、液晶表示装置５０から制御基板部７０および演出インターフェース基板１３０が取り外されて、液晶ユニット４０を保有機能に応じて互いに個別分離可能な液晶表示装置５０、制御基板部７０および演出インターフェース基板１３０の３つのユニットに分離させることができる。
【００６６】
以上、本実施形態に係るパチンコ機ＰＭでは、液晶ユニット４０を保有機能に応じて複数のユニットに分離構成、すなわち、互いに個別分離できる液晶表示装置５０、制御基板部７０および演出インターフェース基板１３０の３つのユニットのアッセンブリとして構成することにより、液晶ユニット４０のパーツ交換や保守点検を分離した各ユニット別に行うことができる。従って、例えば液晶ユニット４０が何らかの不具合によって故障等した場合に、液晶ユニット４０を分離したユニット単位で取り扱うことにより、不具合箇所の特定が容易になるとともに故障部品の交換や搬送が容易になるため、交換費用等のコストを削減できるのと同時に、作業効率およびリサイクル性の向上を図ることが可能である。
【００６７】
また、制御基板部７０および演出インターフェース基板１３０を液晶表示装置５０背面のブラケット部６０に装着する動作に対応して、演出制御基板７１の接続コネクタ７２とインターフェース基板１３０の接続コネクタ１３５とが嵌合接続（ボード・トゥ・ボード接続）され、演出制御基板７１と演出インターフェース基板１３０とが電気接続されることで、液晶表示装置５０に対する制御基板部７０および演出インターフェース基板１３０の着脱交換の作業性が改善されるとともに、制御基板部７０および演出インターフェース基板１３０を配線接続する手間が省けて配線作業に要する時間が短縮されるため、液晶ユニット４０の組立・分解の作業効率が向上される。また、液晶表示装置５０の背面側に制御基板部７０および演出インターフェース基板１３０をコンパクトに集約配置することができる。
【００６８】
なお、液晶ユニット４０を構成する制御基板部７０において、基板ケース１００内に収容保持される演出制御基板７１、画像制御基板８１および演出ＲＯＭ基板９１の基板間接続構造としてもボード・トゥ・ボード接続が利用されているため、パーツ交換や保守点検等のために液晶ユニット４０から制御基板部７０を取り外した場合に、制御基板部７０の基板ケース１００を開放して、これら基板間の相互の接続を簡単に解除することができるため、その作業効率をより向上させることが可能である。
【００６９】
さらに、制御基板部７０を液晶表示装置５０背面のブラケット部６０に装着した状態で、演出インターフェース基板１３０を保持した着脱フック６６を演出制御基板７１側（左方向）にスライド移動させることで、演出制御基板７１と演出インターフェース基板１３０とが近接し、演出制御基板７１の接続コネクタ７２と演出インターフェース基板１３０の接続コネクタ１３５とが嵌合接続されることで、基板上の素子類に手指を直接触れずに演出制御基板７１と演出インターフェース基板１３０との接続作業を行うことができるため、作業者の人体が帯電している静電気により基板の静電気破壊が発生するのを防止できる。
【００７０】
また、インターフェース基板１３０が液晶表示装置５０背面のブラケット部６０に装着された状態で、液晶ユニット４０を背面側から見たときに、ロック爪６２の操作部６２ｂが演出インターフェース基板１３０によって隠蔽されることで、意図しない操作部６２ｂへの接触をガードして、電源が投入された状態において液晶ユニット４０から制御基板部７０が不用意に離脱するのを未然に防止できる。また、これにより制御基板部７０の演出制御基板７１と演出インターフェース基板１３０との接続状態を確実に維持することが可能である。
【００７１】
これまで本発明の好ましい実施形態について説明してきたが、本発明の範囲はこれに限定されるものではない。例えば、上述の実施形態において、請求の範囲に規定するサブ制御基板として、演出制御基板７１、画像制御基板８１および演出ＲＯＭ基板９１等を例示して説明したが、これに限定されるものではなく、これらの制御基板７１，８１，９１に枠演出接続基板３２を加えて構成してもよく、またこれらを一体の制御基板として構成してもよい。
【００７２】
また、上述の実施形態では、液晶ユニット４０を組み立てる手順として、液晶表示装置５０に対して先に制御基板部７０を取り付け、後から演出インターフェース基板１３０を取り付ける手順を例示しているが、これとは反対に、先に演出インターフェース基板１３０を取り付けてから制御基板部７０を取り付けることも可能である。その一方で、液晶ユニット４０が組み立てられた状態では、制御基板部７０の不用意な離脱を防止する観点から演出インターフェース基板１３０によってロック爪６２の操作部６２ｂが隠蔽されているため、液晶ユニット４０を分離させる場合には、既述したように、液晶表示装置５０から演出インターフェース基板１３０を取り外した後で、操作部６６ｂを押圧操作して制御基板部７０を取り外すといった手順になる。
【００７３】
なお、上述の実施形態では、本発明をパチンコ機に適用した事例について説明したが、アレンジボール機や雀球遊技機などの他の遊技機に適用することができ、同様の効果を得ることができる。
【符号の説明】
【００７４】
ＰＭ    パチンコ機（遊技機）
ＰＡ    遊技領域
２      前枠（枠部材）
１０    遊技盤
１９    遊技構成部品
２０    裏セット盤
３４    主制御基板（メイン制御装置）
４０    液晶ユニット（画像表示ユニット）
５０    液晶表示装置
５１    液晶パネルケース（パネル収容部材）
５２    液晶表示パネル
５６    液晶中継基板
５７    インバータ基板
６０    ブラケット部
６２    ロック爪（パネル側係合部）
６２ｂ  操作部
６６    着脱フック（スライド部材）
７０    制御基板部（サブ制御装置）
７１    演出制御基板（サブ制御基板）
７２    接続コネクタ（サブ制御基板側コネクタ）
８１    画像制御基板（サブ制御基板）
９１    演出ＲＯＭ基板
９４    基板ホルダ
１００  基板ケース（基板収容部材）
１１０  ケース本体部材
１２０  ケース蓋部材
１１３  ロックアーム（基板側係合部）
１２９  コネクタ挿通口
１３０  演出インターフェース基板（インターフェース装置）
１３５  接続コネクタ（インターフェース装置側コネクタ）
【図１】
0005574427.tif 000002
【図２】
0005574427.tif 000003
【図３】
0005574427.tif 000004
【図４】
0005574427.tif 000005
【図５】
0005574427.tif 000006
【図６】
0005574427.tif 000007
【図７】
0005574427.tif 000008
【図８】
0005574427.tif 000009
【図９】
0005574427.tif 000010
【図１０】
0005574427.tif 000011
【図１１】
0005574427.tif 000012
【図１２】
0005574427.tif 000013
【図１３】
0005574427.tif 000014
【図１４】
0005574427.tif 000015
【図１５】
0005574427.tif 000016
【図１６】
0005574427.tif 000017
【図１７】
0005574427.tif 000018
【図１８】
0005574427.tif 000019